(57)【要約】 【課題】  輝度の不均一と輝度の変化を定量化してフリッカ判定する。【解決手段】  Ｎフレーム中にＫ階調の補正をＮ１フレーム行い、Ｋ＋１階調の補正をＮ−Ｎ１フレーム行い、１ブロックをA個のサブ画素とし、１周期のＮフレームでＫ階調の補正とＫ＋１階調の補正を行う順序を定めた配置番号を１からＮまで設定し、緑色のサブ画素の輝度は赤色のサブ画素と青色のサブ画素の輝度のＬ倍として計算し、判定対象のサブ画素とその近接サブ画素の数が合計Bとなるグループを１ブロック内に設定し、１ブロックの全サブ画素の補正はＫ階調の補正をＮ−１フレーム行い、Ｋ＋１階調の補正を１フレーム行うと仮定したとき、１ブロックの全サブ画素に、１グループの１サブ画素の平均輝度が１ブロックにおける１サブ画素の平均輝度と略同じになるときがＮフレーム中に少なくとも１回はある、配置番号の１ブロックへの割り当てパターンとする。【選択図】      図２０
2009186800.tif 000002
【特許請求の範囲】
【請求項１】
１画素を赤色緑色青色の３つのサブ画素で構成し、該サブ画素の輝度の階調表示が設定
され、補正対象のサブ画素の階調をその隣接サブ画素の階調に基づいて補正するクロスト
ーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、前記サブ画素を１ブロックがＭ１個とした複数のブロックで構成し、
１周期のＮフレームにおいて前記Ｋ階調の補正と前記Ｋ＋１階調の補正を行う順序を定め
た配置番号を１からＮまで設定し、１ブロックのサブ画素に割り当てる前記配置番号の１
からＮまでの個数が同じになるようにし、同一階調において緑色のサブ画素の輝度は赤色
のサブ画素と青色のサブ画素の輝度に対して略Ｌ倍の輝度を有する表示装置であって、
緑色のサブ画素の輝度は赤色のサブ画素と青色のサブ画素の輝度のＬ倍として計算し、
判定対象のサブ画素とその近接サブ画素の数が合計Ｍ２となるグループを１ブロック内に
設定し、
前記１ブロックの全サブ画素の補正は前記Ｋ階調の補正をＮ−１フレーム行い、前記Ｋ
＋１階調の補正を１フレーム行うものとしたときに、１ブロックの全サブ画素に、１グル
ープにおける１サブ画素の平均輝度が１ブロックにおける１サブ画素の平均輝度と略同じ
になるときがＮフレーム中に少なくとも１回はある、前記配置番号の１ブロックへの割り
当てパターンであることを特徴とする表示装置。
【請求項２】
１画素を赤色緑色青色の３つのサブ画素で構成し、該サブ画素の輝度の階調表示が設定
され、補正対象のサブ画素の階調をその隣接サブ画素の階調に基づいて補正するクロスト
ーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、前記サブ画素を１ブロックがＭ１個とした複数のブロックで構成し、
１周期のＮフレームにおいて前記Ｋ階調の補正と前記Ｋ＋１階調の補正を行う順序を定め
た配置番号を１からＮまで設定し、１ブロックのサブ画素に割り当てる前記配置番号の１
からＮまでの個数が同じになるようにした表示装置であって、
前記１ブロックの全サブ画素の補正は前記Ｋ階調の補正をＮ−１フレーム行い、前記Ｋ
＋１階調の補正を１フレーム行うものとしたときに、１ブロックの全サブ画素が、判定対
象のサブ画素の第１隣接画素の同色のサブ画素がＫ＋１階調となるフレーム順番と、判定
対象のサブ画素がＫ＋１階調となるフレーム順番と、判定対象のサブ画素の第２隣接画素
の同色のサブ画素がＫ＋１階調となるフレーム順番の３つの順番が連番になっていない、
前記配置番号の１ブロックへの割り当てパターンであることを特徴とする表示装置。
【請求項３】
１画素を赤色緑色青色の３つのサブ画素で構成し、該サブ画素の輝度の階調表示が設定
され、補正対象のサブ画素の階調をその隣接サブ画素の階調に基づいて補正するクロスト
ーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、前記サブ画素を１ブロックがＭ１個とした複数のブロックで構成し、
１周期のＮフレームにおいて前記Ｋ階調の補正と前記Ｋ＋１階調の補正を行う順序を定め
た配置番号を１からＮまで設定し、１ブロックのサブ画素に割り当てる前記配置番号の１
からＮまでの個数が同じになるようにし、同一階調において緑色のサブ画素の輝度は赤色
のサブ画素と青色のサブ画素の輝度に対して略Ｌ倍の輝度を有する表示装置のフリッカ判
定方法であって、
緑色のサブ画素の輝度は赤色のサブ画素と青色のサブ画素の輝度のＬ倍として計算し、
判定対象のサブ画素とその近接サブ画素の数が合計Ｍ２となるグループを１ブロック内に
設定し、
前記１ブロックの全サブ画素の補正は前記Ｋ階調の補正をＮ−１フレーム行い、前記Ｋ
＋１階調の補正を１フレーム行うものとしたときに、１ブロックの全サブ画素に、１グル
ープにおける１サブ画素の平均輝度が１ブロックにおける１サブ画素の平均輝度と略同じ
になるときにポイントアップし、ポイントが高い程フリッカ低減のパターンであると判定
することを特徴とする表示装置のフリッカ判定方法。
【請求項４】
１画素を赤色緑色青色の３つのサブ画素で構成し、該サブ画素の輝度の階調表示が設定
され、補正対象のサブ画素の階調をその隣接サブ画素の階調に基づいて補正するクロスト
ーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、前記サブ画素を１ブロックがＭ１個とした複数のブロックで構成し、
１周期のＮフレームにおいて前記Ｋ階調の補正と前記Ｋ＋１階調の補正を行う順序を定め
た配置番号を１からＮまで設定し、１ブロックのサブ画素に割り当てる前記配置番号の１
からＮまでの個数が同じになるようにした表示装置であって、
前記１ブロックの全サブ画素の補正は前記Ｋ階調の補正をＮ−１フレーム行い、前記Ｋ
＋１階調の補正を１フレーム行うものとしたときに、１ブロックの全サブ画素が、判定対
象のサブ画素の第１隣接画素の同色のサブ画素がＫ＋１階調となるフレーム順番と、判定
対象のサブ画素がＫ＋１階調となるフレーム順番と、判定対象のサブ画素の第２隣接画素
の同色のサブ画素がＫ＋１階調となるフレーム順番の３つの順番が連番になっていないと
きにポイントアップし、ポイントが高い程フリッカ低減のパターンであると判定すること
を特徴とする表示装置のフリッカ判定方法。
【発明の詳細な説明】
【技術分野】
【０００１】
本発明は、２つの個別画像を視方向により夫々判別可能な画面を同一画面に表示する表
示装置に関し、特に１階調未満のクロストーク補正を行う表示装置および表示装置のフリ
ッカ判定方法に関する。
【背景技術】
【０００２】
従来より、液晶表示装置や有機EL表示装置は、テレビ受像機や情報機器等に搭載される
表示装置として、広く使用されている。これらの表示装置のカラーの画素はＲＧＢ３つの
サブ画素で構成される。夫々のサブ画素はデジタルの階調データを有し、ドライバは階調
データをアナログの駆動電圧に変換し、この駆動電圧に応じた輝度でサブ画素が発光する
。このように、サブ画素の輝度を指定する階調データは整数である。
【０００３】
したがって、表示装置に入力される画像の階調データは整数であるが、クロストーク補
正やフリッカ処理などで階調データを演算すると、小数になることがある。このために、
小数を整数にする分、所望する輝度と誤差が生じるという問題があった。
【０００４】
そこで、その誤差を低減させるために、ＦＲＣ（Frame Rate Control）が考えられた（
特許文献参照、特許文献２参照）。ＦＲＣは、異なる階調の複数のフレームを1周期とす
ることにより、残像を利用して見かけ上、整数未満の階調表示を行うものである。例えば
、２０階調を３フレーム、２１階調を１フレームで繰り返すと残像により２０．２５階調
に見える。
【０００５】
しかしながら、ＦＲＣでは画像が静止している部分であっても輝度が周期的に変化する
ために、フリッカ（ちらつき）が生じるという課題があった。そこで、輝度が高くなるフ
レームのタイミングをサブ画素配列に均等配分することが考えられた（特許文献１、特許
文献２参照）。
【特許文献１】特開２００３−５６９５号公報
【特許文献２】特開２００５−１０５２０号公報
【発明の開示】
【発明が解決しようとする課題】
【０００６】
しかしながら、輝度が高くなるフレームのタイミングをサブ画素配列に均等配分するレ
イアウトは複数あり、均等配分であってもレイアウトによってフリッカの低減効果には差
があった。どのレイアウトが優れているかを判定する従来の方法は、そのレイアウトを実
際に表示させて目視でフリッカを判定するものであった。このために、判定に時間が掛か
るという問題があった。また、客観的な判定ではなく、判定に個人差があるという問題が
あった。
【０００７】
本発明は上述の課題に鑑みてなされたものであり、フリッカの要素である輝度の不均一
と輝度の変化を独自の方法で定量化し、客観的にフリッカ判定を行うものである。
【課題を解決するための手段】
【０００８】
上記課題を解決するために、本発明の表示装置は、１画素を赤色緑色青色の３つのサブ
画素で構成し、該サブ画素の輝度の階調表示が設定され、補正対象のサブ画素の階調をそ
の隣接サブ画素の階調に基づいて補正するクロストーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、前記サブ画素を１ブロックがＭ１個とした複数のブロックで構成し、
１周期のＮフレームにおいて前記Ｋ階調の補正と前記Ｋ＋１階調の補正を行う順序を定め
た配置番号を１からＮまで設定し、１ブロックのサブ画素に割り当てる前記配置番号の１
からＮまでの個数が同じになるようにし、同一階調において緑色のサブ画素の輝度は赤色
のサブ画素と青色のサブ画素の輝度に対して略Ｌ倍の輝度を有する表示装置であって、
緑色のサブ画素の輝度は赤色のサブ画素と青色のサブ画素の輝度のＬ倍として計算し、
判定対象のサブ画素とその近接サブ画素の数が合計Ｍ２となるグループを１ブロック内に
設定し、
前記１ブロックの全サブ画素の補正は前記Ｋ階調の補正をＮ−１フレーム行い、前記Ｋ
＋１階調の補正を１フレーム行うものとしたときに、１ブロックの全サブ画素に、１グル
ープにおける１サブ画素の平均輝度が１ブロックにおける１サブ画素の平均輝度と略同じ
になるときがＮフレーム中に少なくとも１回はある、前記配置番号の１ブロックへの割り
当てパターンである。
【０００９】
このように、判定対象のサブ画素とその近接サブ画素を含むグループを設定し、１グル
ープにおける１サブ画素の平均輝度がブロックにおける１サブ画素の平均輝度と略同じに
なるようにし、また、輝度が高い緑色を考慮しているので、フリッカを軽減したパターン
を得ることができる。
【００１０】
また、１画素を赤色緑色青色の３つのサブ画素で構成し、該サブ画素の輝度の階調表示
が設定され、補正対象のサブ画素の階調をその隣接サブ画素の階調に基づいて補正するク
ロストーク補正部とを備え、
前記クロストーク補正部はＮ（Ｎは２以上の正整数）フレーム中にＫ（Ｋは整数）階調
の前記補正をＮ１（Ｎ１はＮ未満の正整数）フレーム行い、Ｋ＋１階調の前記補正をＮ−
Ｎ１フレーム行い、前記サブ画素を１ブロックがＭ１個とした複数のブロックで構成し、
１周期のＮフレームにおいて前記Ｋ階調の補正と前記Ｋ＋１階調の補正を行う順序を定め
た配置番号を１からＮまで設定し、１ブロックのサブ画素に割り当てる前記配置番号の１
からＮまでの個数が同じになるようにした表示装置であって、
前記１ブロックの全サブ画素の補正は前記Ｋ階調の補正をＮ−１フレーム行い、前記Ｋ
＋１階調の補正を１フレーム行うものとしたときに、１ブロックの全サブ画素が、判定対
象のサブ画素の第１隣接画素の同色のサブ画素がＫ＋１階調となるフレーム順番と、判定
対象のサブ画素がＫ＋１階調となるフレーム順番と、判定対象のサブ画素の第２隣接画素
の同色のサブ画素がＫ＋１階調となるフレーム順番の３つの順番が連番になっていない、
前記配置番号の１ブロックへの割り当てパターンである。
【００１１】
このように、同色の高い輝度のサブ画素のフレーム変化移動を制限するので、フリッカ
を軽減したパターンを得ることができる。
【００１２】
上記課題を解決するために、本発明の表示装置のフリッカ判定方法は、緑色のサブ画素
の輝度は赤色のサブ画素と青色のサブ画素の輝度のＬ倍として計算し、判定対象のサブ画
素とその近接サブ画素の数が合計Ｍ２となるグループを１ブロック内に設定し、
前記１ブロックの全サブ画素の補正は前記Ｋ階調の補正をＮ−１フレーム行い、前記Ｋ
＋１階調の補正を１フレーム行うものとしたときに、１ブロックの全サブ画素に、１グル
ープにおける１サブ画素の平均輝度が１ブロックにおける１サブ画素の平均輝度と略同じ
になるときにポイントアップし、ポイントが高い程フリッカ低減のパターンであると判定
する。
【００１３】
このように平均輝度に基づいて定量化するので、輝度の不均一によるフリッカの判定を
行うことができる。また、輝度が高い緑色を考慮しているので精度が高い定量化を行うこ
とができる。この定量化の判定によってフリッカを軽減したパターンを得ることができる
。
【００１４】
また、前記１ブロックの全サブ画素の補正は前記Ｋ階調の補正をＮ−１フレーム行い、
前記Ｋ＋１階調の補正を１フレーム行うものとしたときに、１ブロックの全サブ画素が、
判定対象のサブ画素の第１隣接画素の同色のサブ画素がＫ＋１階調となるフレーム順番と
、判定対象のサブ画素がＫ＋１階調となるフレーム順番と、判定対象のサブ画素の第２隣
接画素の同色のサブ画素がＫ＋１階調となるフレーム順番の３つの順番が連番になってい
ないときにポイントアップし、ポイントが高い程フリッカ低減のパターンであると判定す
る。
【００１５】
このように、同色の高い輝度のサブ画素のフレーム変化移動を定量化するので、輝度の
変化によるフリッカを判定することができる。この定量化の判定によってフリッカを軽減
したパターンを得ることができる。
【発明を実施するための最良の形態】
【００１６】
以下、図面を参照して本発明の最良の実施形態を説明する。但し、以下に示す実施形態
は、本発明の技術思想を具体化するための表示装置を例示するものであって、本発明をこ
れらに特定することを意図するものではなく、特許請求の範囲に含まれるその他の実施形
態のものにも等しく適応し得るものである。
【００１７】
図１は本実施形態の表示装置の要部を示すブロック図である。図１の実線は表示装置１
を示し、破線は表示装置１が組み込まれるナビゲーション装置４０を示す。図２は図１の
液晶表示部２の要部を示すブロック図であり、図３は図２のソースドライバ２１の要部を
示すブロック図であり、図４は図３の正極ＤＡ変換回路の要部を示す図である。
【００１８】
図１の破線の構成において、ナビゲーション装置４０はナビゲーション部４１と、ＤＶ
Ｄ再生部４２と、画面切替回路４３を有する。ナビゲーション装置４０は内部のＨＤＤ（
図示せず）より地図情報を読み出して、内部のＧＰＳ（Global Positioning System）受
信部（図示せず）より受信した位置情報や登録された経路を地図情報に重畳した地図画像
を出力する。ＤＶＤ再生部はＤＶＤよりＤＶＤ画像を読み出してこれを出力する。ナビゲ
ーション装置４０は左視方向（日本車の助手席方向）も右視方向（日本車の運転席方向）
も同じ画像を視認する１画面モードと、異なる画像を視認する２画面モードを有する。１
画面モードのときは右視方向も左視方向もナビゲーション画像のみかＤＶＤ画像のみを視
認し、２画面モードのときは、画面切替回路４３は、右視方向でナビゲーション画像を視
認し左視方向でＤＶＤ画像を視認するか、右視方向でＤＶＤ画像を視認し左視方向でナビ
ゲーション画像を視認する。使用者の操作によってこれら４つの画面の切り替えが行われ
、その画面切替信号を出力する。
【００１９】
図１の実線の構成において、表示装置１は液晶表示部２と、ナビゲーション装置４０か
らの２つのソース画像（ナビゲーション画像、ＤＶＤ画像）を２画面合成処理とクロスト
ーク補正し液晶表示部２に出力する信号処理回路３と、信号処理回路３の動作に必要な種
々のデータを記憶するＥＥＰＲＯＭ４と、液晶表示部２に電源を供給する電源供給回路５
を備えている。信号処理回路３は２画面モードのときに２つのソース画像を合成する２画
面合成部６と、１画面モード／２画面モードの夫々に対応したクロストーク補正を行うク
ロストーク補正部７と、クロストーク補正部７で補正された信号を液晶表示部２で表示で
きるように極性やタイミングを制御する出力信号生成部８と、ＥＥＰＲＯＭ４の入出力を
制御するＥＥＰＲＯＭコントローラ９を備えている。
【００２０】
クロストーク補正部７は前処理部１０と補正データ送出部１１と演算部１２を備える。
前処理部１０は２画面合成部６からの画像信号より必要なデータを補正データ送出部１１
と演算部１２に送出する。補正データ送出部１１はＥＥＰＲＯＭコントローラ９からの補
正テーブルを記憶するＬＵＴ（ルックアップテーブル）１３と、ＬＵＴ１３には無いデー
タを補間するデータ補間部１４を備えて補正データを求める。演算部１２は前処理部１０
からの画像に補正データ送出部１１の補正データに対応する補正階調を加算したり、１画
面モード／２画面モードの夫々に対応したＦＲＣ処理を行う。ＦＲＣ処理とは、４フレー
ムを1周期とし、補正データ送出部１１からの補正データに対応する補正階調の小数値に
基づいた所定のフレームの所定のサブ画素に−２階調、−１階調、＋１階調、＋２階調の
いずれかを加算することである。これにより、残像を利用して見かけ上、整数未満の階調
表示を行うものであり、詳しくは後述する。
【００２１】
図２において、液晶表示部２は液晶パネル２０と、複数のソースドライバ２１と、複数
のゲートドライバ２２を有する。液晶パネル２０は図示しないゲートラインとソースライ
ンに対応してマトリクス状に整列したサブ画素（図５参照）を備えており、ゲートライン
に印加されるサブ画素の液晶層をソースラインに印加される電圧に基づいた透過率にする
。ソースドライバ２１は信号処理回路３から出力されるＲＧＢ信号の階調データに基づく
電圧を液晶パネル２０のソースラインに印加する。ゲートドライバ２２は信号処理回路３
から出力される同期信号に基づいて液晶パネル２０のゲートラインにゲートラインを選択
するための走査信号を出力する。
【００２２】
図３において、ソースドライバ２１はシフトレジスタ３０、ラッチ３１、サンプリング
メモリ３２、ホールドメモリ３３、レベルシフタ３４、基準電源回路３５、ＤＡ変換回路
３６、出力バッファ３９を備えている。ラッチ３１は信号処理回路３から出力されるＲＧ
Ｂ信号の階調信号を時分割でラッチする。サンプリングメモリ３２はラッチされた階調デ
ータを記憶する。ホールドメモリ３３は同期信号に同期してサンプリングメモリ３２の階
調データを取り込み、レベルシフタ３４に出力すると共に、次の同期信号が入力されるま
で階調データを保持する。レベルシフタ３４はホールドメモリ３３からの階調データをＤ
Ａ変換回路３６に適合するように昇圧などで変換する。
【００２３】
ＤＡ変換回路３６は正極側の電圧を出力する正極ＤＡ変換回路３７と負極側の電圧を出
力する負極ＤＡ変換回路３８を備えている。正極と負極の選択は信号処理回路３から出力
される同期信号に基づいて行われる。レベルシフタ３４からの階調データに対応した電圧
を出力する。出力バッファ３９は差動増幅回路からなり、安定した電圧を液晶パネル２０
に出力する。
【００２４】
図４において、正極ＤＡ変換回路３７は基準電源回路３５からの印加電圧Ｖ０（電圧１
２Ｖ）とＶ６３（電圧６．２Ｖ）の間に６３個の抵抗を直列に備えている。Ｖ０は入力６
ビット００００００（０階調）、Ｖ６３は入力６ビット１１１１１１（６３階調）に対応
する。夫々の抵抗の接続端子Ｖ０〜Ｖ６３はガンマ２．２に適応する抵抗値になっている
。そして、図４に示す如く、Ｖ０〜Ｖ６３の端子を選択するスイッチが６段のトーナメン
ト形式状に配列され、各段を入力の６ビットが夫々ＯＮ／ＯＦＦ制御する。これにより入
力６ビット００００００〜１１１１１１に対応してＶ０〜Ｖ６３が出力される。
【００２５】
図５は液晶パネル２０の画素を示す図である。液晶パネル２０はカラーのＷＶＧＡであ
り、ゲートライン方向（横方向）に８００画素、ソースライン方向（縦方向）に４８０画
素ある。１画素はＲＧＢの３つのサブ画素から成る。液晶パネル２０はサブ画素の遮光パ
ターンが市松模様（チェス盤の白黒模様。図６のＲ／Ｌ参照）の遮光バリア２０ｂを備え
ている。図7に示す如く、この遮光バリア２０ｂにより、サブ画素の市松模様の一方が右
方向（日本の運転席方向）からのみ視認することができ、他方が左方向（日本の助手席方
向）からのみ視認することができる。例えば、図8に示す如く、運転席からはナビゲーシ
ョンの画像を視認し、助手席からはＤＶＤの画像を視認することができる。入力画像のサ
ブ画素の階調データは６ビットであり、ＲＧＢの輝度は０階調〜６３階調の６４種類とな
る。液晶パネル２０の輝度の駆動制御は１階調単位である。即ち、整数でない階調データ
を指定することはできない。１画面（８００画素×４８０画素）の周期、即ちフレーム周
期は６０Ｈｚである。
【００２６】
図９はＥＥＰＲＯＭ４やＬＵＴ１３に記憶される補正データテーブルを示す。６４種類
の階調データは０階調〜６３階調であり、この補正データテーブルは補正対象のサブ画素
データ及びその右隣のサブ画素データについて夫々偶数階調（０階調、２階調、４階調、
・・・６２階調の１階調置き）に対応する（６４／２）×（６４／２）＝３２×３２のマ
トリクスに、ダミーの補助階調（６４階調）の補正データに加えて３３×３３のマトリク
スにしている。これは、最終の階調（６３階調）を後述の補間計算で求めるためである。
【００２７】
それぞれのマトリクスには、補正対象のサブ画素データと右隣のサブ画素データとから
実験的に定められた補正データが整数の階調の４ビット（ビット３を符号ビットとし、ビ
ット２〜ビット０の３ビットを補正データとした−７〜０〜＋７）の補正データが格納さ
れている。４フレーム周期のＦＲＣであるので、補正データに対応する補正階調は補正デ
ータの１／４である。例えば、補正データが＋１のときは０．２５階調加算し、補正デー
タが＋２のときは０．５階調加算し、補正データが＋４のときは１階調加算する。補正デ
ータは実験的に求められたデータを０．２５階調単位に換算して格納される。
【００２８】
図９において符号「０」が記入されている箇所は、補正対象のサブ画素データと右隣の
画素データとが同じ値であって水平方向クロストークは生じないために補正が不要な部分
と、補正対象のサブ画素の階調データが最小値の「０」又は最大値の「６３」であって右
隣の画素データの如何にかかわらず水平クロストークが生じないために補正が不要な部分
である。尚、図９においては、上述した水平方向クロストークが生じないために補正が不
要な部分以外の補正データは全て省略してあるが、−７〜０〜＋７の何れかの整数値が入
る。
【００２９】
そして、ＥＥＰＲＯＭ４には、図９において記入されている符号「０」の部分を除くデ
ータ、すなわち、（３３×３３−３３×３＋２）×４ビット＝９９２×４ビットのデータ
が格納されている。この予め実験的に定められ、ＥＥＰＲＯＭ４に格納されていたデータ
は、電源スイッチがオンにされるとＥＥＰＲＯＭ４からＬＵＴ１３に読み込まれて、図９
に示したように展開される。
【００３０】
上述の構成における表示装置の画像処理について説明する。
【００３１】
ナビゲーション装置４０のナビゲーション部４１から出力されるナビゲーション画像と
、ＤＶＤ再生部３２から出力されるＤＶＤ画像は、図５に示す如く、液晶パネルの画素配
列と同じ８００画素×４８０画素のデータになっている。ナビゲーション装置４０の画面
切替回路４３が出力する信号は、左視方向（日本車の助手席方向）と右視方向（日本車の
運転席方向）の両方でナビゲーション画像を視認する信号ＮＮ、左視方向と右視方向の両
方でＤＶＤ画像を視認する信号ＤＤ、左視方向でＤＶＤ画像を視認し、右視方向でナビゲ
ーション画像を視認する信号ＤＮ、左視方向でナビゲーション画像を視認し、右視方向で
ＤＶＤ画像を視認する信号ＮＤの４種類がある。信号ＮＮと信号ＤＤは１画面モードであ
り、信号ＤＮと信号ＮＤは２画面モードである。
【００３２】
２画面合成部６は、画面切替信号が１画面モードであるＮＮのときは、ナビゲーション
装置４０から入力されたナビゲーション画像とＤＶＤ画像のうちナビゲーション画像のみ
をクロストーク補正部７に出力する。画面切替信号がもうひとつの１画面モードであるＤ
Ｄのときは、ナビゲーション装置４０から入力されたナビゲーション画像とＤＶＤ画像の
うちＤＶＤ画像のみをクロストーク補正部７に出力する。
【００３３】
画面切替信号が２画面モードであるＤＮあるいはＮＤのときは、図６の如く、８００画
素×４８０画素のナビゲーション画像と８００画素×４８０画素のＤＶＤ再生部３２を市
松模様に取捨選択して、１つの８００画素×４８０画素の画像を合成する。
【００３４】
クロストーク補正部７の前処理部１０は２画面合成部６から入力された合成画像より補
正対象のサブ画素データを補正データ送出部１１と演算部１２に出力し、右隣のサブ画素
データを補正データ送出部１１と演算部１２に出力する。
【００３５】
補正データ送出部１１では、表示装置１に電源が供給開始されると同時にＥＥＰＲＯＭ
４に記憶されていた補正データテーブルがＥＥＰＲＯＭコントローラ９を介してＬＵＴ１
３に読み込まれる。
【００３６】
補正データ送出部１１は、補正対象のサブ画素の階調データとその右隣のサブ画素の階
調データから対応する補正データをＬＵＴ１３から読み出す。このとき補正データテーブ
ルの行と列は１階調置きであるので、間（奇数階調）の場合はデータ補間部１４において
補正データを補間する。
【００３７】
この補正データ送出部１１のデータ補間部１４の動作は次のとおりである。すなわち、
図９のＺ部分の４箇所のデータが、例えば図１０に示したようにＬＵ、ＲＵ、ＬＤ、ＲＤ
である場合、補正データがＬＵとＲＵとの間に該当する場合は（ＬＵ＋ＲＵ）／２として
、補正データがＬＵとＬＤとの間に該当する場合は（ＬＵ＋ＬＤ）／２として、補正デー
タがＲＵとＲＤとの間に該当する場合は（ＲＵ＋ＲＤ）／２として、補正データがＬＤと
ＲＤとの間に該当する場合は（ＬＤ＋ＲＤ）／２として、更には、補正データがＬＵとＲ
Ｄとの間に該当する場合は（ＬＵ＋ＲＵ＋ＬＤ＋ＲＤ）／４として求めることができる。
ＬＵＴ１３に全階調毎のデータを展開しておいても構わないが、このような構成を採用す
ると、ＥＥＰＲＯＭ４に記憶するデータ量を少なくできる。
【００３８】
上述の補間計算はＬＵ、ＲＵ、ＬＤ、ＲＤの加算を２や４で除算するので、補間で求め
た補正データは−７〜＋７の整数（０．２５単位の階調）となるように補正される。
【００３９】
演算部１２は補正対象のサブ画素の階調データに右隣のサブ画素の階調データを加算す
る。ところが、補正データは０．２５単位の階調に対応しているので、液晶パネル２０の
駆動は整数の階調でなければならないので、４フレームの周期で見かけ上の０．２５単位
となるようにＦＲＣ処理を行う。このＦＲＣ処理について説明する。
【００４０】
１（周期）÷０．２５（単位）＝４（フレーム）であるから、演算部１２は４フレーム
を周期としてＫ（Ｋは整数）階調の補正とＫ＋１階調の補正を混入させる。また、１フレ
ーム中のサブ画素を全てＫ＋１階調にするとフリッカ（ちらつき）が生じ易くなるので、
図１１の如く、Ｋ＋１階調の補正を行うサブ画素の配置を１，２，３，４の４種類に区分
し、４つのフレームに均等分布させる。
【００４１】
例えば、補間計算された補正データが５の１．２５階調の場合、４フレーム中の１フレ
ーム目（４ｎ−３フレーム目）のサブ画素の配置１について２階調の補正を行い、配置２
，３，４について１階調の補正を行う。４フレーム中の２フレーム目（４ｎ−２フレーム
目）のサブ画素の配置２について２階調の補正を行い、配置１，３，４について１階調の
補正を行う。４フレーム中の３フレーム目（４ｎ−１フレーム目）のサブ画素の配置３に
ついて２階調の補正を行い、配置１，２，４について１階調の補正を行う。４フレーム中
の４フレーム目（４ｎフレーム目）のサブ画素の配置４について２階調の補正を行い、配
置１，２，３について１階調の補正を行う。
【００４２】
これにより、４フレームの補正順序が、配置１については１，０，０，０となり、配置
２については０，１，０，０，０となり、配置３については０，０，１，０となり、配置
４については０，０，０，１となって、いずれもＫ＋１階調補正のタイミングが異なる。
フレーム周期は６０Ｈｚであるので、このようにＮ（Ｎは２以上の正整数）周期のフレー
ム中にＫ階調の補正とＫ＋１階調の補正を混在させることで、網膜残像効果による見かけ
上の１階調未満単位の補正を行うことができる。尚、小数点以下が０．５階調の補正の場
合は、配置１と配置３及び配置２と配置４のＫ＋１階調補正のタイミングが同じになる。
【００４３】
このように、１つのフレームに配置１，２，３，４となるサブ画素が均等に分布するこ
とにより、フリッカを低減することになる。しかしながら、配置１〜配置４の分布パター
ンによりフリッカの低減の度合いが微妙に異なる。本願発明はこの微妙なフリッカの度合
いの判定を定量化することにより客観的に行うものである。
【００４４】
フリッカの要素として、フレーム内の輝度の不均一とフレーム内の輝度の変化がある。
輝度が片寄らずに均一に分散している方がフリッカを生じにくい。また、動画の如く、輝
度が高いサブ画素がフレームの変化に伴って移動するように見えない方がフリッカを生じ
にくい。
【００４５】
[１画面モード（輝度の均一）]
１画面モードと２画面モードでは演算部１２のＦＲＣ処理の方法が異なる。まず、１画
面モードにおけるＦＲＣ処理の輝度の均一について説明する。尚、演算部１２はナビゲー
ション装置４０からの画面切替信号がＮＮかＤＤであれば１画面モードと判定し、画面切
替信号がＤＮかＮＤであれば２画面モードと判定する。
【００４６】
１フレーム（１画面）の同一最小構成であるブロックとして、３×４＝１２個のサブ画
素のブロックを設定する。「３」はゲートライン方向（横方向）であり、１画素のサブ画
素の数である。「４」はソースライン方向（縦方向）であり、１周期のフレーム数である
。このブロックを複数組み合わせると１フレームになる。このように、配置１，２，３，
４の分布のパターンは複数のブロック構成ことにより、均一に分布され、フリッカの発生
をより低減させることができる。輝度判定の１グループとして、補正対象のサブ画素と、
その近接する８個のサブ画素の合計９個を設定する。
【００４７】
補正データ送出部１１からの補正データに対応する補正階調は、図１１の如く、小数点
以下の値が０，０．２５，０．５，０．７５の４種類であるが、フリッカ判定のために、
全ての補正データに対応する補正階調の小数点以下の値が０．２５であるとする。また、
ここでは補正データに対応する補正階調の整数値を２０（Ｋ＝２０）として例示する。即
ち、１周期の平均階調（見かけ上の階調）は２０．２５であり、図１２に示す如く、１周
期の４フレームの全サブ画素が、配置１では１フレーム目に２１階調で他は２０階調とな
り、配置２では２フレーム目に２１階調で他は２０階調となり、配置３では３フレーム目
に２１階調で他は２０階調となり、配置４では４フレーム目に２１階調で他は２０階調と
なる。
【００４８】
図１３はフリッカを低減すると判定される配置１，２，３，４の分布のパターンである
。１画素は正方形であるので、サブ画素は長方形となる。右上がりの斜線はＲ（赤色）、
約１０％（薄い方）の網掛けはＧ（緑色）、約２０％（濃い方）の網掛けはＢ（青色）を
示す。図１３の１〜４の数字は図１２の配置番号である。例えば、図１３で２のサブ画素
は２フレーム目に輝度が高い２１階調となる。
【００４９】
図１４の階調―輝度曲線に示す如く、同一階調において、赤色と青色の輝度は略同一で
あり、緑色は赤色と青色の約４倍の輝度がある。緑色は人が輝度を高く感じる色であるこ
とから、液晶パネルが明るく感じるように、同一階調において緑色の輝度が赤色、青色よ
りも高く設定される。フリッカ判定の定量化では、同一階調において、赤色と青色の輝度
は同一であり、緑色は赤色や青色の４倍の輝度として計算する。
【００５０】
ここで、１グループの２０．２５階調の輝度が２０階調と比較して高くなる輝度の値を
計算する。図１３は１フレーム目の輝度差を示す図である。２０．２５階調は、１フレー
ム目〜４フレーム目のいずれも２１階調が赤色、緑色、青色夫々１つずつある。赤色の２
１階調と２０階調の輝度の差をＡとすれば、いずれのフレームも２０．２５階調の１ブロ
ックの輝度は１Ａ（赤色）＋４Ａ（緑色）＋１Ａ（青色）＝６Ａとなる。
【００５１】
そこで、１グループにおける１サブ画素の平均輝度が１ブロックにおける１サブ画素の
平均輝度と同じになる値を求めると、１ブロックのサブ画素の数は１２個で１グループの
サブ画素の数は９であるので、６Ａ÷１２×９＝４．５Ａとなる。フリッカ判定の計算は
整数であるので、１グループにおける１サブ画素の平均輝度が１ブロックにおける１サブ
画素の平均輝度と略同じになる値を５Ａとし、５Ａになったときに、フリッカを低減する
パターンであるとしてポイントアップする。
【００５２】
図１５は輝度均一によるフリッカ判定の計算方法の例を示す図である。図１５に示す９
個のサブ画素は図１３のブロックの上方の９個のサブ画素であり、１グループを示す。中
央の配置１のサブ画素が判定対象である。１フレーム目は４Ａ（Ｇ）＋Ａ（Ｂ）＝５Ａ、
２フレーム目はＡ（Ｒ）＋Ａ（Ｂ）＝２Ａ、３フレーム目はＡ（Ｒ）＋４Ａ（Ｇ）＋Ａ（
Ｂ）＝６Ａ、４フレーム目はＡ（Ｒ）＋４Ａ（Ｇ）＝５Ａとなる。５Ａが２つあるので、
このサブ画素については２ポイントである。
【００５３】
このような方法で１ブロックについて４フレーム×１２サブ画素の４８のポイントを求
める。その合計のポイントが大きい程、輝度の不均一によるフリッカが生じにくいと判定
する。
【００５４】
このように、判定対象のサブ画素とその近接サブ画素を含むグループを設定し、１グル
ープにおける１サブ画素の平均輝度がブロックにおける１サブ画素の平均輝度と略同じと
きに加算のポイントとし、このポイントを１ブロック内の全サブ画素について求め、更に
ポイントを４フレームについて求めて合計する。このように平均輝度に基づいて定量化す
るので、輝度の不均一によるフリッカの判定を行うことができる。また、輝度が高い緑色
を考慮しているので精度が高い定量化を行うことができる。この定量化の判定によってフ
リッカを軽減したパターンを得ることができる。
【００５５】
[１画面モード（輝度の変化）]
次に輝度の変化について説明する。図１６、図１７は悪いパターンの例を示す図である
。図１６、図１７では同色のフレーム番号が下方に１ずつ増加しており、フレームの変化
に伴い下に向かって波打つように見える。
【００５６】
そこで、上隣接画素の同色サブ画素と下隣接画素の同色サブ画素（図１７の位置を参照
）の配置番号が判定対象の配置番号を中央の位置にして３つの連番を形成する番号となれ
ばポイントを０にし、３つの連番とならなければフリッカを生じにくいものとしてポイン
トを１にする。ここで、隣接画素とは、図５の配置において、上下左右と斜めの８つの画
素をいう。また、３つの連番は昇順と降順のいずれでもよく、１と４は連番とする。
【００５７】
１ブロックについて１２サブ画素の１２のポイント（輝度変化）を求める。その合計の
ポイントが大きい程、輝度の変化によるフリッカが生じにくいと判定する。
【００５８】
このように、判定対象のサブ画素の上の画素の同色のサブ画素が２１階調となるフレー
ム順番と、判定対象のサブ画素が２１階調となるフレーム順番と、判定対象のサブ画素の
下の画素の同色のサブ画素が２１階調となるフレーム順番の３つの順番が連番になってい
ないときに加算のポイントとする。即ち、同色の高い輝度のサブ画素のフレーム変化移動
を定量化するので、輝度の変化によるフリッカを判定することができる。この定量化の判
定によってフリッカを軽減したパターンを得ることができる。尚、上述の移動方向は昇順
、降順の２種類、即ち上隣接、判定対象、下隣接の配置番号が１，２，３の昇順ときは上
隣接を基準として下から下へ移動し、上隣接、判定対象、下隣接の配置番号が３，２，１
の降順ときは下隣接を基準として上から上へ移動する。しかしながら、移動方向は他の方
向でもよい。即ち、フレーム変化によって２連続で隣接の画素（上下左右と斜めの８画素
）へ移動することがない配置のときに加算のポイントにしてもよい。
【００５９】
４８の輝度均一のポイントと１２の輝度変化のポイントを合計する。その合計のポイン
トが大きい程、総合的なフリッカが生じにくいと判定する。
【００６０】
図１８はポイントの合計が大きいパターンの例を示す図である。このパターンでは同一
グループ内に緑色が１つとなるように配設され、また、隣接する同色の配置番号が連番３
つにならないように配設される。図１８に示す如く、各サブ画素の輝度均一のポイントは
２、輝度変化はポイント１となり、ポイントの合計は３６となる。
【００６１】
[２画面モード（輝度の均一）]
次に２画面モードの輝度の均一について説明する。２画面モードでは個別画像が隣接す
るために大きなクロストークとなる。そして、２画面モードでは見えるサブ画素が市松模
様に配列しているために、隣接あるいは近接サブ画素の位置が１画面モードとは異なる。
【００６２】
図１９は２画面モードにおける１ブロックを示す図である。１ブロックは、一方の視方
向から視認されるサブ画素が３×４＝１２個になっている。「３」はゲートライン方向（
横方向）であり、「４」はソースライン方向（縦方向）である。
【００６３】
図２０は２画面モードにおける１グループを示す図である。１グループとなるサブ画素
は、判定対象と、その左、右、左上、右上、左下、右下の近傍サブ画素６個を含めた７個
である。サブ画素は長方形（ＲＧＢ３つのサブ画素で正方形）である。したがって、上下
隣接のサブ画素は判定対象のサブ画素から離れているのでグループには含まない。
【００６４】
１画面と同様、赤色の２１階調と２０階調の輝度の差をＡとすれば、いずれのフレーム
も２０．２５階調の１ブロックの輝度は１Ａ（赤色）＋４Ａ（緑色）＋１Ａ（青色）＝６
Ａとなる。
【００６５】
１ブロックのサブ画素の数は１２個で１グループのサブ画素の数は７であるので、６Ａ
÷１２×７＝３．５Ａとなる。フリッカ判定の計算は整数であるので、１グループにおけ
る１サブ画素の平均輝度が１ブロックにおける１サブ画素の平均輝度と略同じになる値を
４Ａとし、４Ａになったときに、フリッカを低減するパターンであるとしてポイントアッ
プする。
【００６６】
図２０は輝度均一によるフリッカ判定の計算方法の例を示す図である。図２０に示す７
個のサブ画素は図１９のブロックの左上方の７個のサブ画素であり、１グループを示す。
中央の配置１のサブ画素が判定対象である。１フレーム目はＡ（Ｒ）＋４Ａ（Ｇ）＝５Ａ
、２フレーム目はＡ（Ｒ）＋Ａ（Ｂ）＝２Ａ、３フレーム目は４Ａ（Ｇ）＝４Ａ、４フレ
ーム目は４Ａ（Ｇ）＋Ａ（Ｂ）＝５Ａとなる。４Ａが１つあるので、このサブ画素につい
ては１ポイントである。
【００６７】
このような方法で１ブロックについて４フレーム×１２サブ画素の４８のポイントを求
める。その合計のポイントが大きい程、輝度の不均一によるフリッカが生じにくいと判定
する。
【００６８】
[２画面モード（輝度の変化）]
次に輝度の変化について説明する。右上隣接画素の同色サブ画素と右下隣接画素の同色
サブ画素（図１９の位置を参照）の配置番号が判定対象の配置番号を中央の位置にして３
つの連番を形成する番号となればポイントを０にし、３つの連番とならなければフリッカ
を生じにくいものとしてポイントを１にする。ここで、隣接画素とは、図２の配置におい
て、上下左右と斜めの８つの画素をいう。また、３つの連番は昇順と降順のいずれでもよ
く、１と４は連番とする。
【００６９】
１ブロックについて１２サブ画素の１２のポイント（輝度変化）を求める。その合計の
ポイントが大きい程、輝度の変化によるフリッカが生じにくいと判定する。
【００７０】
４８の輝度均一のポイントと１２の輝度変化のポイントを合計する。その合計のポイン
トが大きい程、総合的なフリッカが生じにくいと判定する。
【００７１】
図２１はポイントの合計が大きいパターンの例を示す図である。このパターンでは同一
グループ内に緑色が１つとなるように配設され、また、隣接する同色の配置番号が連番３
つにならないように配設される。図２１に示す如く、各サブ画素の輝度均一のポイントは
１、輝度変化はポイント１となり、ポイントの合計は２４となる。
【００７２】
上述の実施例は４フレーム中の１フレームが１階調高い、小数０．２５階調のＦＲＣで
あったが、これを小数０．５階調や小数０．７５階調に適用することができる。小数０．
５階調は小数０．２５階調の２倍と考えて配置番号４を２に、３を１に変更すればよく、
小数０．７５階調は小数０．２５階調の正負逆と考えてそのまま適用すればよい。
【００７３】
このように、演算部１３はＦＲＣ処理を行って、前処理部１１から送出された補正対象
のサブ画素データに補正データ送出部１２から送出された補正データに対応する補正階調
を加算し、この補正後のサブ画素データを出力信号生成部７に送出する。出力信号生成部
７はクロストーク補正部６で補正された信号を液晶パネル２で表示できるように極性やタ
イミングを制御して、液晶パネル２に出力する。このようなサブ画素のデータの補正は全
てのサブ画素データに対して１サブ画素ずつ順次右方向に行われる。
【００７４】
尚、上述のグループはＲＧＢサブ画素の個数とフレーム周期の数の積（３×４）であっ
たが、これに限定するものではなく、任意に設定することができる。また、グループの設
定は判定サブ画素に近接サブ画素を加えたものであり、その個数も任意に設定することが
できる。
【００７５】
上述の遮光パターンは市松模様であったが、ストライブ（縦縞）模様など種々の模様に
本願発明を適用させることができる。
【００７６】
また、上述の実施例は液晶パネルであったが、本発明の駆動方法に適合するものであれ
ば、有機ＥＬ（エレクトロルミネッセンス）装置やプラズマディスプレイなどの電気光学
装置にも適用可能である。
【図面の簡単な説明】
【００７７】
【図１】実施例の表示装置の要部を示すブロック図である。
【図２】図１の液晶表示部の要部を示すブロック図である。
【図３】図２のソースドライバの要部を示すブロック図である。
【図４】図３の正極ＤＡ変換回路の要部を示すブロック図である。
【図５】液晶パネルの画素配列を示す図である。
【図６】２つの視方向に対する個別の画像の合成および市松模様のサブ画素配列を示す図である。
【図７】遮光バリアのスリットによる２画面の原理を示す図である。
【図８】２つの視方向に対する個別の画像の表示を示す図である。
【図９】補正データテーブルを示す図である。
【図１０】補正データテーブルには格納されていない階調補正データを補間計算する方法を示す図である。
【図１１】４フレームを1周期とするＦＲＣの各フレーム階調差を示す図である。
【図１２】フリッカ判定の量子化のために仮定する階調を示すブロック図である。
【図１３】１画面モードにおけるブロックを示す図である。
【図１４】緑色の輝度が高いことを示す階調値―輝度の線図である。
【図１５】１画面モードにおけるグループを示す図である。
【図１６】１画面モードにおける輝度の変化によるフリッカが生じ易い例を示す図である。
【図１７】図１６をフレーム番号で示す図である。
【図１８】１画面モードにおけるポイントの計算結果を示す図である。
【図１９】２画面モードにおけるブロックを示す図である。
【図２０】２画面モードにおけるグループを示す図である。
【図２１】２画面モードにおけるポイントの計算結果を示す図である。
【符号の説明】
【００７８】
１    表示装置
２    液晶表示部
３    信号処理回路
４    ＥＥＰＲＯＭ
５    電源供給回路
６    ２画面合成部
７    クロストーク補正部
８    出力信号生成部
９    ＥＥＰＲＯＭコントローラ
１０    前処理部
１１    補正データ送出部
１２    演算部
１３    ＬＵＴ
１４    データ補間部
２０    液晶パネル
２１    ソースドライバ
２２    ゲートドライバ
３６    ＤＡ変換回路
３７    正極ＤＡ変換回路
３８    負極ＤＡ変換回路
４０    ナビゲーション装置
４１    ナビゲーション部
４２    ＤＶＤ再生部
４３    画面切替回路
【図１】
2009186800.tif 000003
【図２】
2009186800.tif 000004
【図３】
2009186800.tif 000005
【図４】
2009186800.tif 000006
【図５】
2009186800.tif 000007
【図６】
2009186800.tif 000008
【図７】
2009186800.tif 000009
【図８】
2009186800.tif 000010
【図９】
2009186800.tif 000011
【図１０】
2009186800.tif 000012
【図１１】
2009186800.tif 000013
【図１２】
2009186800.tif 000014
【図１３】
2009186800.tif 000015
【図１４】
2009186800.tif 000016
【図１５】
2009186800.tif 000017
【図１６】
2009186800.tif 000018
【図１７】
2009186800.tif 000019
【図１８】
2009186800.tif 000020
【図１９】
2009186800.tif 000021
【図２０】
2009186800.tif 000022
【図２１】
2009186800.tif 000023